(57)【特許請求の範囲】
【請求項１】
装置にセットしてリサイクル券を出入れ自由に収納するマガジンであって、
上記リサイクル券の有効データ券を収納したことを表す有効データ券表示面と、リサイクル券の無効データ券を収納したことを表す無効データ券表示面とを切換え許容して設けた
リサイクル券情報表示機能付きマガジン。
【請求項２】
装置にセットしてリサイクル券を出入れ自由に収納するマガジンであって、
上記リサイクル券の有効データ券を収納したことを表す有効データ券表示面と、リサイクル券の無効データ券を収納したことを表す無効データ券表示面とを備え、
上記有効データ券を発行する券発行装置にセットしたとき、上記有効データ券表示面を表示させ、上記無効データ券を回収する券回収装置にセットしたとき、上記無効データ券表示面を表示させる表示面切換え手段を備えた
リサイクル券情報表示機能付きマガジン。
【請求項３】
請求項１記載のリサイクル券情報表示機能付きマガジンを、有効データ券を発行するためにセットしたとき、前記有効データ券表示面を表示させる
券発行装置。
【請求項４】
請求項１記載のリサイクル券情報表示機能付きマガジンを、無効データ券を回収するためにセットしたとき、前記無効データ券表示面を表示させる
券回収装置。
【請求項５】
請求項１記載のリサイクル券情報表示機能付きマガジンを、無効データ券をプレエンコードして有効データ券にして収納するためにセットしたとき、前記有効リサイクル券表示面を表示させる
エンコード装置。
【発明の詳細な説明】
【０００１】
【発明の属する技術分野】
この発明は、例えば鉄道の駅務で発券または回収用にリサイクル利用されるリサイクル券を収納するマガジンに関し、さらに詳しくは内部に収納しているリサイクル券の用途状態を表示案内するリサイクル券情報表示機能付きマガジン、券発行装置、券回収装置およびエンコード装置に関する。
【０００２】
【従来の技術】
近年、資源の節約を考慮して券のリサイクル化が図られている。例えば、鉄道を乗車利用する乗車券の場合は「エンコード装置→自動券売機→自動改札機→自動集札機」のリサイクル工程を有し、先ずエンコード装置で乗車券に有効データを記録し、この有効データを記録した乗車券を自動券売機にセットして券売し、券売された乗車券は乗車時に自動改札機で改札され、降車時に自動集札機で集札され、集札された乗車券を再びエンコード装置に導いて新たに有効データを記録することによりリサイクル利用を図っている。
【０００３】
ところで、係員によるリサイクル券の取扱いに際しては、多数の乗車券を出入れ自由に収納管理するマガジンによって持運びできるようにし、このマガジンを装置内部にセットしてリサイクル運用している。
【０００４】
しかし、装置から取外されたマガジンは、有効データの乗車券を収納しているか、無効データの乗車券を収納しているか不明なため、係員はマガジンの取扱いに手間取ったり、マガジンのセット時に有効・無効の用途間違いが生じてマガジンを誤セット操作してしまう恐れがあった。
【０００５】
【発明が解決しようとする課題】
そこでこの発明は、有効データの券を収納したときは有効な券表示面を表示し、無効データの券を収納したときは無効な券表示面を表示して、係員が一目で券収納情報を判別できるようにしたリサイクル券情報表示機能付きマガジン、券発行装置、券回収装置およびエンコード装置を提供することを目的とする。
【０００６】
【課題を解決するための手段】
請求項１記載の発明は、装置にセットしてリサイクル券を出入れ自由に収納するマガジンであって、上記リサイクル券の有効データ券を収納したことを表す有効データ券表示面と、リサイクル券の無効データ券を収納したことを表す無効データ券表示面とを切換え許容して設けたリサイクル券情報表示機能付きマガジンであることを特徴とする。
【０００７】
請求項２記載の発明は、装置にセットしてリサイクル券を出入れ自由に収納するマガジンであって、上記リサイクル券の有効データ券を収納したことを表す有効データ券表示面と、リサイクル券の無効データ券を収納したことを表す無効データ券表示面とを備え、上記有効データ券を発行する券発行装置にセットしたとき、上記有効データ券表示面を表示させ、上記無効データ券を回収する券回収装置にセットしたとき、上記無効データ券表示面を表示させる表示面切換え手段を備えたリサイクル券情報表示機能付きマガジンであることを特徴とする。
【０００８】
請求項３記載の発明は、請求項１記載のリサイクル券情報表示機能付きマガジンを、有効データ券を発行するためにセットしたとき、前記有効データ券表示面を表示させる券発行装置であることを特徴とする。
【０００９】
請求項４記載の発明は、請求項１記載のリサイクル券情報表示機能付きマガジンを、無効データ券を回収するためにセットしたとき、前記無効データ券表示面を表示させる券回収装置であることを特徴とする。
【００１０】
請求項５記載の発明は、請求項１記載のリサイクル券情報表示機能付きマガジンを、無効データ券をプレエンコードして有効データ券にして収納するためにセットしたとき、前記有効データ券表示面を表示させるエンコード装置であることを特徴とする。
【００１１】
【作用】
この発明によれば、マガジンに有効データ券を収納したときは有効データ券表示面を表示し、無効データ券を収納したときは無効データ券表示面を表示する。
【００１２】
また、マガジンを券発行装置にセットしたときは表示面切換え手段の切換え作用により有効データ券表示面を表示し、券回収装置にセットしたときは表示面切換え手段の切換え作用により無効データ券表示面を表示する。
【００１３】
さらに、マガジンを有効データ券を発行する券発行装置にセットしたときは、このセット操作に連動してマガジンに有効データ券表示面を表示する。
【００１４】
同じく、マガジンを無効データ券を回収する券回収装置にセットしたときは、このセット操作に連動してマガジンに無効データ券表示面を表示する。
【００１５】
同じく、マガジンを無効データ券をプレエンコードして有効データ券にして収納するエンコード装置にセットしたときは、このセット操作に連動してマガジンに有効データ券表示面を表示する。
【００１６】
【発明の効果】
この結果、マガジンは収納内容に応じて有効データ券表示面か、無効データ券表示面かを表示しているため、装置から取外されたマガジンは有効データのリサイクル券を収納しているか、無効データのリサイクル券を収納しているかを係員が一目で判別することができ、マガジンの取扱いが容易となる。このため、係員はマガジンの取扱いに手間取らず、マガジンをセットしたときの有効・無効の用途間違いが生じず、マガジンの誤セット操作を解消した信頼性の高い確実なセット操作ができる。
【００１７】
例えば、有効データ券を収納したマガジンを券発行装置にセットしたときは有効データ券表示面を表示し、無効データ券を回収する空のマガジンを券回収装置にセットしたときは無効データ券表示面を表示し、無効データ券をプレエンコードして有効データ券にするマガジンをエンコード装置にセットしたときは有効データ券表示面を表示して、用途別に連動させて表示内容を切換えることができる。
【００１８】
【実施例】
この発明の一実施例を以下図面に基づいて詳述する。
図１は鉄道業務で実施される乗車券のリサイクルシステムを示し、この乗車券のリサイクルシステムは券データを更新処理するエンコード機１１と、券種別に分類する券分類機１２とを備えた電鉄本部Ｄと、駅Ｓに設置されて乗車券を発行する自動券売機１３と、出札時に乗車券を回収する自動集札機１４との各券処理機１１〜１４間に乗車券を循環させてリサイクル利用する。この各券処理機１１〜１４間の乗車券の移送に際しては、係員が乗車券を収納する共通のマガジン１５を運搬して一括して移送する。
【００１９】
このマガジン１５を用いた乗車券のリサイクル処理状態を次に説明すると、先ず、無効データ券を収納したマガジン１５をエンコード機１１にセットし、このマガジン１５から１枚ずつ繰出した券をプリエンコード機１１ａでプリエンコード処理して有効データ券にした後、券分類機１２に多数セットされた分類別のマガジン１５に振分け収納する。この券分類機１２にはプリエンコード機１１ａに供給する無効データ券が空になった空マガジン１５ａを券分類機１２の券分類収納用に配置して利用する。
【００２０】
この券分類機１２に振分け収納された券種別の有効データ券を充填した有効充填マガジン１５ｂは、これより駅Ｓの自動券売機１３に運搬されてセットされ、発券時に乗車データを発券データ処理部１６で記録して発行する。そして、発行された乗車券が乗車利用された後、自動集札機１４に集札されると、この集札された乗車券は不正防止用の回収エンコード機１７で無効データ処理してマガジン１５に回収される。この自動集札機１４には自動券売機１３が発行する有効データ券が空になった空マガジン１５ｃを自動集札機１４の券集札用に配置して順次空マガジン１５ｃを有効利用する。
【００２１】
そして、この自動集札機１４で用済みとなった無効データ券を充填した無効充填マガジン１５ｄを、これより電鉄本部Ｄのエンコード機１１にセットして、再びリサイクル用にプリエンコード処理を施して有効データ券に書換える。これを繰返して乗車券をリサイクル利用する。
【００２２】
ところで、マガジン１５は乗車券を出入れ自由に収納する箱形を有し、各券処理機１１〜１４に対して共通した着脱構造と、乗車券を１枚ずつ繰出す繰出機構と１枚ずつ取込む取込み機構とを備えている。さらに、このマガジン１５に収納した乗車券の券情報を表示する表示機能を備えている。
【００２３】
図２はマガジン１５の表示面切換え機構２１を示し、この表示面切換え機構２１はマガジン１５を各券処理機１１〜１４にセットしたとき、これに連動して用途別に表示内容を切換えるものであって、処理機１１〜１４側には表示内容を切換えるための逆凹形状のレバー２２を配設し、これと対応するマガジン１５側には同じく表示内容を切換えるための首振り切換え片２３を配設している。
【００２４】
例えば、自動集札機１４にマガジン１５をセットするときは、自動集札機１４のセット位置に配設した逆凹形状のレバー２２に向けてマガジン１５の首振り切換え片２３を対応させるようにセット方向２２ａに移動させ、このセット操作して自動集札機１４に装着すると同時に切換える。
【００２５】
この場合、マガジン１５側の首振り切換え片２３は中央部を支点ピン２４で枢着されており、これを傾動支点に左右に首振り自由に支持され、また左右の外面位置には有効データ券を収納したことを表す有効データ券表示器２５と、無効データ券を収納したことを表す無効データ券表示器２６とを配設し、一方の表示器２５がマガジン１５の前面に開口する表示窓２７と対応して外部から視認できるようにしている。また、一方または他方に切換えられた表示位置をスプリング２８で弾性保持している。
【００２６】
さらに、この首振り切換え片２３の左右の位置には首振り切換え用の左右係止ピン２９，３０を突設しており、これら係止ピン２９，３０の一方がセット時に逆凹形状のレバー２２と対応したとき、この逆凹形状のレバー２２で押されることによって切換え操作される。図中、３１は処理機側のフレームである。
【００２７】
このように構成されたマガジン１５の表示面切換え機構２１のセット操作に連動する切換え状態を次に説明する。
今、自動券売機１３から取外された空マガジン１５ｃを自動集札機１４にセットするとき、セット前までは有効データ券表示器２５を表示した状態（図２参照）にあり、この状態で空マガジン１５ｃを自動集札機１４の逆凹形状のレバー２２と対応するセット位置に対応させて押込んで行くと、図３に示すように、首振り切換え片２３の一方の係止ピン２９がレバー２２によって押され、これに連動して首振り切換え片２３は支点ピン２４を傾動支点に首振り動作して、有効データ券表示器２５から無効データ券表示器２６に切換えられる。
【００２８】
これにより、自動集札機１４にセットされた空マガジン１５ｃは、無効データ券表示器２６を表示する。そして、集札後この自動集札機１４から取外されたマガジンは無効データ券表示器２６を表示維持しているため、係員は用済みとなった無効データの乗車券を収納している無効充填マガジン１５ｄであることが一目で判別でき、マガジンの取扱いが容易となる。
【００２９】
図４は券分類機１２に空マガジン１５ａをセットするときの表示面切換え状態を示し、これはエンコード機１１から取外された空マガジン１５ａを券分類機１２にセットするとき、セット前までは無効データ券表示器２６を表示した状態にあり、この状態で空マガジン１５ａを券分類機１２のセット位置に対応させて押込んで行くと、首振り切換え片２３の一方の係止ピン３０が逆凹形状のレバー２２によって押され、これに連動して首振り切換え片２３は支点ピン２４を傾動支点に首振り動作して、無効データ券表示器２６から有効データ券表示器２５に切換えられる。
【００３０】
これにより、券分類機１２にセットされた空マガジン１５ａは、有効データ券表示器２５を表示し、分類された乗車券を分類別の各マガジン１５…で収納する。その後、この券分類機１２から一杯となって取外されたマガジンは有効データ券表示器２５を表示維持しているため、係員は有効データの乗車券を収納している有効充填マガジン１５ｂであることが一目で判別でき、マガジンの取扱いが容易でマガジンの誤セット操作を的確に解消することができる。
【００３１】
上述のように、マガジンには有効乗車券か無効乗車券かの収納内容に応じて有効データ券表示器か、無効データ券表示器かを選択して表示するため、装置から取外されたマガジンは有効データ券を収納しているか、無効データ券を収納しているかを係員が一目で判別することができ、マガジンの取扱い操作が容易となる。このため、係員はマガジンの取扱いに手間取らず、マガジンをセットしたときの有効・無効の用途間違いが生じず、マガジンの誤セット操作を解消した信頼性の高い確実なセット操作ができる。ことに、マガジンをエンコード機、券分類機、自動券売機、自動集札機にセットすることに連動して、このマガジンの表示内容が用途別に応じて自動的に切換わるため、係員がいちいち表示内容を切換える必要もなく、マガジンの取扱い操作性が確実に向上する。
【００３２】
この発明と、上述の一実施例の構成との対応において、
この発明のマガジン処理装置は、実施例のマガジン１５をセットするエンコード機１１と券分類機１２と自動券売機１３と自動集札機１４とに対応し、
以下同様に、
リサイクル券は、乗車券に対応し、
有効データ券表示面は、有効データ券表示器２５に対応し、
無効データ券表示面は、無効データ券表示器２６に対応し、
券発行装置は、自動券売機１３に対応し、
券回収装置は、自動集札機１４に対応し、
エンコード装置は、エンコード機１１と、券分類機１２に対応し、
表示面切換え手段は、表示面切換え機構２１に対応するも、この発明は請求項に示される技術思想に基づいて応用することができ、上述の実施例の構成のみに限定されるものではない。
【図面の簡単な説明】
【図１】  この発明の乗車券のリサイクルシステムを示す概略構成図。
【図２】  この発明の表示面切換え機構のマガジン装着前の対応状態を示す要部平面図。
【図３】  この発明のマガジン装着時の無効データ券表示器に切換えた状態を示す要部平面図。
【図４】  この発明のマガジン装着時の有効データ券表示器に切換えた状態を示す要部平面図。
【符号の説明】
１１…エンコード機
１２…券分類機
１３…自動券売機
１４…自動集札機
１５…マガジン
１５ａ，１５ｃ…空マガジン
１５ｂ…有効充填マガジン
１５ｄ…無効充填マガジン
Ｄ…電鉄本部
Ｓ…駅
２１…表示面切換え機構
２２ａ…セット方向
２３…首振り切換え片
２５…有効データ券表示器
２６…無効データ券表示器
【図１】
0003757578.tif 000002
【図２】
0003757578.tif 000003
【図３】
0003757578.tif 000004
【図４】
0003757578.tif 000005